(57)【要約】【課題】基地局、通信システム、移動端末および中継装置を提供すること。【解決手段】リレーリンクまたはアクセスリンクのダウンリンクと、ダイレクトリンクのダウンリンクとを、同一のリソースブロックグループに含まれるリソースブロックに割当て、前記リレーリンクまたは前記アクセスリンクのアップリンクと、前記ダイレクトリンクのアップリンクとを、同一のリソースブロックグループに含まれるリソースブロックに割当てる割当て部を基地局に設ける。【選択図】図７
2011029850.tif 000002
【特許請求の範囲】
【請求項１】
基地局であって、
前記基地局と中継装置との間のリレーリンクおよび前記中継装置と移動端末との間のアクセスリンク、または、前記基地局と前記移動端末との間のダイレクトリンク、を介して前記移動端末と通信する通信部と；
前記リレーリンク、前記アクセスリンク、および前記ダイレクトリンク、の各々のアップリンクおよびダウンリンクを、複数のリソースブロックグループのうちのいずれかに含まれるリソースブロックに割当てる割当て部と；
を備え、
前記割当て部は、
前記リレーリンクまたは前記アクセスリンクのダウンリンクと、前記ダイレクトリンクのダウンリンクとを、同一のリソースブロックグループに含まれるリソースブロックに割当て、
前記リレーリンクまたは前記アクセスリンクのアップリンクと、前記ダイレクトリンクのアップリンクとを、同一のリソースブロックグループに含まれるリソースブロックに割当てる、基地局。
【請求項２】
前記リレーリンクのダウンリンクのための第１のリソースブロックグループ、前記アクセスリンクのダウンリンクのための第２のリソースブロックグループ、前記アクセスリンクのアップリンクのための第３のリソースブロックグループ、および前記リレーリンクのアップリンクのための第４のリソースブロックグループは、少なくとも時間または周波数が異なる、請求項１に記載の基地局。
【請求項３】
前記第１のリソースブロックグループは、前記第２のリソースブロックグループと周波数が同一で時間が異なり、前記第３のリソースブロックグループと時間が同一で周波数が異なり、
前記第４のリソースブロックグループは、前記第２のリソースブロックグループと時間が同一で周波数が異なり、前記第３のリソースブロックと周波数が同一で時間が異なる、請求項２に記載の基地局。
【請求項４】
前記第１のリソースブロックグループは、前記第２のリソースブロックグループと周波数が同一で時間が異なり、前記第４のリソースブロックグループと時間が同一で周波数が異なり、
前記第３のリソースブロックグループは、前記第２のリソースブロックグループと時間が同一で周波数が異なり、前記第４のリソースブロックと周波数が同一で時間が異なる、請求項２に記載の基地局。
【請求項５】
前記第１のリソースブロックグループは、前記第４のリソースブロックグループと周波数が同一で時間が異なり、前記第３のリソースブロックグループと時間が同一で周波数が異なり、
前記第２のリソースブロックグループは、前記第４のリソースブロックグループと時間が同一で周波数が異なり、前記第３のリソースブロックと周波数が同一で時間が異なる、請求項２に記載の基地局。
【請求項６】
前記第１のリソースブロックグループは、前記第３のリソースブロックグループと周波数が同一で時間が異なり、前記第４のリソースブロックグループと時間が同一で周波数が異なり、
前記第２のリソースブロックグループは、前記第３のリソースブロックグループと時間が同一で周波数が異なり、前記第４のリソースブロックと周波数が同一で時間が異なる、請求項２に記載の基地局。
【請求項７】
前記第１のリソースブロックグループは、前記第３のリソースブロックグループと周波数が同一で時間が異なり、前記第２のリソースブロックグループと時間が同一で周波数が異なり、
前記第４のリソースブロックグループは、前記第３のリソースブロックグループと時間が同一で周波数が異なり、前記第２のリソースブロックと周波数が同一で時間が異なる、請求項２に記載の基地局。
【請求項８】
前記第１のリソースブロックグループは、前記第４のリソースブロックグループと周波数が同一で時間が異なり、前記第２のリソースブロックグループと時間が同一で周波数が異なり、
前記第３のリソースブロックグループは、前記第４のリソースブロックグループと時間が同一で周波数が異なり、前記第２のリソースブロックと周波数が同一で時間が異なる、請求項２に記載の基地局。
【請求項９】
前記第１のリソースブロックグループ、前記第２のリソースブロックグループ、前記第３のリソースブロックグループ、および前記第４のリソースブロックグループは、時間が同一で周波数が異なる、請求項２に記載の基地局。
【請求項１０】
前記第１のリソースブロックグループ、前記第２のリソースブロックグループ、前記第３のリソースブロックグループ、および前記第４のリソースブロックグループは、周波数が同一で時間が異なる、請求項２に記載の基地局。
【請求項１１】
移動端末と；
中継装置と；
基地局であって、
前記基地局と前記中継装置との間のリレーリンクおよび前記中継装置と前記移動端末との間のアクセスリンク、または、前記基地局と前記移動端末との間のダイレクトリンク、を介して前記移動端末と通信する通信部、および、
前記リレーリンク、前記アクセスリンク、および前記ダイレクトリンク、の各々のアップリンクおよびダウンリンクを、複数のリソースブロックグループのうちのいずれかに含まれるリソースブロックに割当てる割当て部、
を有し、
前記割当て部は、
前記リレーリンクまたは前記アクセスリンクのダウンリンクと、前記ダイレクトリンクのダウンリンクとを、同一のリソースブロックグループに含まれるリソースブロックに割当て、
前記リレーリンクまたは前記アクセスリンクのアップリンクと、前記ダイレクトリンクのアップリンクとを、同一のリソースブロックグループに含まれるリソースブロックに割当てる、基地局と；
を備える、通信システム。
【請求項１２】
移動端末であって、
基地局と中継装置との間のリレーリンクおよび前記中継装置と前記移動端末との間のアクセスリンク、または、前記基地局と前記移動端末との間のダイレクトリンク、を介して前記移動端末と通信する通信部、および、前記リレーリンク、前記アクセスリンク、および前記ダイレクトリンク、の各々のアップリンクおよびダウンリンクを、複数のリソースブロックグループのうちのいずれかに含まれるリソースブロックに割当てる割当て部、を有し、前記割当て部は、前記リレーリンクまたは前記アクセスリンクのダウンリンクと、前記ダイレクトリンクのダウンリンクとを、同一のリソースブロックグループに含まれるリソースブロックに割当て、前記リレーリンクまたは前記アクセスリンクのアップリンクと、前記ダイレクトリンクのアップリンクとを、同一のリソースブロックグループに含まれるリソースブロックに割当てる前記基地局と、前記割当て部により割り当てられたリソースブロックを利用して通信する、移動端末。
【請求項１３】
中継装置であって、
基地局と前記中継装置との間のリレーリンクおよび前記中継装置と移動端末との間のアクセスリンク、または、前記基地局と前記移動端末との間のダイレクトリンク、を介して前記移動端末と通信する通信部、および、前記リレーリンク、前記アクセスリンク、および前記ダイレクトリンク、の各々のアップリンクおよびダウンリンクを、複数のリソースブロックグループのうちのいずれかに含まれるリソースブロックに割当てる割当て部、を有し、前記割当て部は、前記リレーリンクまたは前記アクセスリンクのダウンリンクと、前記ダイレクトリンクのダウンリンクとを、同一のリソースブロックグループに含まれるリソースブロックに割当て、前記リレーリンクまたは前記アクセスリンクのアップリンクと、前記ダイレクトリンクのアップリンクとを、同一のリソースブロックグループに含まれるリソースブロックに割当てる前記基地局と、前記移動端末との通信を、前記割当て部により割り当てられたリソースブロックを利用して中継する、中継装置。
【発明の詳細な説明】
【技術分野】
【０００１】
本発明は、基地局、通信システム、移動端末および中継装置に関する。
【背景技術】
【０００２】
３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）において、セルエッジにおけるスループットの向上を実現するために、中継装置（リレーステーション）を利用する技術が盛んに検討されている。
【０００３】
この中継装置は、ダウンリンクにおいて、基地局から送信された信号を受信して、増幅してから、増幅した信号を移動端末に対して送信する。中継装置は、このような中継を行うことにより、基地局から移動端末に対して信号を直接送信する場合よりも信号対雑音比を高くすることが可能である。同様に、中継装置は、アップリンクにおいても、移動端末から送信された信号を基地局へ中継することにより、信号対雑音比を高く保つことができる。なお、中継装置によるこのような中継については例えば非特許文献１に記載されている。
【０００４】
また、中継装置による中継方式として、Ａｍｐ−Ｆｏｒｗａｒｄ型、Ｄｅｃｏｄｅ−Ｆｏｒｗａｒｄ型などがあげられる。Ａｍｐ−Ｆｏｒｗａｒｄ型は、受信した信号をアナログ信号のまま増幅して送信する方式である。このＡｍｐ−Ｆｏｒｗａｒｄ型では、信号対雑音比が改善されないが、通信プロトコルを改良しなくてよいという利点を有する。なお、中継装置は、送信アンテナと受信アンテナとの間にフィードバック経路を有するため、このフィードバック経路が発振しないように設計される。
【０００５】
Ｄｅｃｏｄｅ−Ｆｏｒｗａｒｄ型は、受信した信号をＡＤ変換でデジタル信号に変換し、デジタル信号に対して誤り訂正等のデコードを行い、デコードされたデジタル信号を再度エンコードし、デジタル信号をＤＡ変換でアナログ信号に変換し、アナログ信号を増幅して送信する方式である。Ｄｅｃｏｄｅ−Ｆｏｒｗａｒｄ型では、符号化利得によって信号対雑音比を改善することが可能である。また、中継装置は、受信により得られたデジタル信号をメモリに蓄積し、デジタル信号を次のタイムスロットで送信することにより、送信アンテナと受信アンテナ間のフィードバック回路の発振を回避することができる。なお、中継装置は、タイムスロットではなく、周波数を変えることにより発振を回避することも可能である。
【先行技術文献】
【非特許文献】
【０００６】
【非特許文献１】パナソニック、“Ｄｉｓｃｕｓｓｉｏｎ  ｏｎ  ｔｈｅ  ＴＤ  ｒｅｌａｙ  ａｎｄ  ＦＤ  ｒｅｌａｙ  ｆｏｒ  ＦＤＤ  ｓｙｓｔｅｍ”、Ｎｏｖｅｍｂｅｒ  １０−１４,  ２００８
【発明の概要】
【発明が解決しようとする課題】
【０００７】
しかし、上記の中継装置を介する通信経路に加え、基地局と移動端末が中継装置を介さずに通信する通信経路も存在する。したがって、中継装置を介する通信経路と、中継装置を介さない通信経路との間で干渉が発生してしまう場合が想定される。
【０００８】
そこで、本発明は、上記問題に鑑みてなされたものであり、本発明の目的とするところは、中継装置を介する通信経路と中継装置を介さない通信経路との間で通信リソースを共有することが可能な、新規かつ改良された基地局、通信システム、移動端末および中継装置を提供することにある。
【課題を解決するための手段】
【０００９】
上記課題を解決するために、本発明のある観点によれば、基地局であって、前記基地局と中継装置との間のリレーリンクおよび前記中継装置と移動端末との間のアクセスリンク、または、前記基地局と前記移動端末との間のダイレクトリンク、を介して前記移動端末と通信する通信部と、前記リレーリンク、前記アクセスリンク、および前記ダイレクトリンク、の各々のアップリンクおよびダウンリンクを、複数のリソースブロックグループのうちのいずれかに含まれるリソースブロックに割当てる割当て部とを備え、前記割当て部は、前記リレーリンクまたは前記アクセスリンクのダウンリンクと、前記ダイレクトリンクのダウンリンクとを、同一のリソースブロックグループに含まれるリソースブロックに割当て、前記リレーリンクまたは前記アクセスリンクのアップリンクと、前記ダイレクトリンクのアップリンクとを、同一のリソースブロックグループに含まれるリソースブロックに割当てる、基地局が提供される。
【００１０】
前記リレーリンクのダウンリンクのための第１のリソースブロックグループ、前記アクセスリンクのダウンリンクのための第２のリソースブロックグループ、前記アクセスリンクのアップリンクのための第３のリソースブロックグループ、および前記リレーリンクのアップリンクのための第４のリソースブロックグループは、少なくとも時間または周波数が異なってもよい。
【００１１】
前記第１のリソースブロックグループは、前記第２のリソースブロックグループと周波数が同一で時間が異なり、前記第３のリソースブロックグループと時間が同一で周波数が異なり、前記第４のリソースブロックグループは、前記第２のリソースブロックグループと時間が同一で周波数が異なり、前記第３のリソースブロックと周波数が同一で時間が異なってもよい。
【００１２】
前記第１のリソースブロックグループは、前記第２のリソースブロックグループと周波数が同一で時間が異なり、前記第４のリソースブロックグループと時間が同一で周波数が異なり、前記第３のリソースブロックグループは、前記第２のリソースブロックグループと時間が同一で周波数が異なり、前記第４のリソースブロックと周波数が同一で時間が異なってもよい。
【００１３】
前記第１のリソースブロックグループは、前記第４のリソースブロックグループと周波数が同一で時間が異なり、前記第３のリソースブロックグループと時間が同一で周波数が異なり、前記第２のリソースブロックグループは、前記第４のリソースブロックグループと時間が同一で周波数が異なり、前記第３のリソースブロックと周波数が同一で時間が異なってもよい。
【００１４】
前記第１のリソースブロックグループは、前記第３のリソースブロックグループと周波数が同一で時間が異なり、前記第４のリソースブロックグループと時間が同一で周波数が異なり、前記第２のリソースブロックグループは、前記第３のリソースブロックグループと時間が同一で周波数が異なり、前記第４のリソースブロックと周波数が同一で時間が異なってもよい。
【００１５】
前記第１のリソースブロックグループは、前記第３のリソースブロックグループと周波数が同一で時間が異なり、前記第２のリソースブロックグループと時間が同一で周波数が異なり、前記第４のリソースブロックグループは、前記第３のリソースブロックグループと時間が同一で周波数が異なり、前記第２のリソースブロックと周波数が同一で時間が異なってもよい。
【００１６】
前記第１のリソースブロックグループは、前記第４のリソースブロックグループと周波数が同一で時間が異なり、前記第２のリソースブロックグループと時間が同一で周波数が異なり、前記第３のリソースブロックグループは、前記第４のリソースブロックグループと時間が同一で周波数が異なり、前記第２のリソースブロックと周波数が同一で時間が異なってもよい。
【００１７】
前記第１のリソースブロックグループ、前記第２のリソースブロックグループ、前記第３のリソースブロックグループ、および前記第４のリソースブロックグループは、時間が同一で周波数が異なってもよい。
【００１８】
前記第１のリソースブロックグループ、前記第２のリソースブロックグループ、前記第３のリソースブロックグループ、および前記第４のリソースブロックグループは、周波数が同一で時間が異なってもよい。
【００１９】
また、上記課題を解決するために、本発明の別の観点によれば、移動端末と、中継装置と、基地局であって、前記基地局と前記中継装置との間のリレーリンクおよび前記中継装置と前記移動端末との間のアクセスリンク、または、前記基地局と前記移動端末との間のダイレクトリンク、を介して前記移動端末と通信する通信部、および、前記リレーリンク、前記アクセスリンク、および前記ダイレクトリンク、の各々のアップリンクおよびダウンリンクを、複数のリソースブロックグループのうちのいずれかに含まれるリソースブロックに割当てる割当て部、を有し、前記割当て部は、前記リレーリンクまたは前記アクセスリンクのダウンリンクと、前記ダイレクトリンクのダウンリンクとを、同一のリソースブロックグループに含まれるリソースブロックに割当て、前記リレーリンクまたは前記アクセスリンクのアップリンクと、前記ダイレクトリンクのアップリンクとを、同一のリソースブロックグループに含まれるリソースブロックに割当てる、基地局と、を備える通信システムが提供される。
【００２０】
また、上記課題を解決するために、本発明の別の観点によれば、移動端末であって、基地局と中継装置との間のリレーリンクおよび前記中継装置と前記移動端末との間のアクセスリンク、または、前記基地局と前記移動端末との間のダイレクトリンク、を介して前記移動端末と通信する通信部、および、前記リレーリンク、前記アクセスリンク、および前記ダイレクトリンク、の各々のアップリンクおよびダウンリンクを、複数のリソースブロックグループのうちのいずれかに含まれるリソースブロックに割当てる割当て部、を有し、前記割当て部は、前記リレーリンクまたは前記アクセスリンクのダウンリンクと、前記ダイレクトリンクのダウンリンクとを、同一のリソースブロックグループに含まれるリソースブロックに割当て、前記リレーリンクまたは前記アクセスリンクのアップリンクと、前記ダイレクトリンクのアップリンクとを、同一のリソースブロックグループに含まれるリソースブロックに割当てる前記基地局と、前記割当て部により割り当てられたリソースブロックを利用して通信する、移動端末が提供される。
【００２１】
また、上記課題を解決するために、本発明の別の観点によれば、中継装置であって、基地局と前記中継装置との間のリレーリンクおよび前記中継装置と移動端末との間のアクセスリンク、または、前記基地局と前記移動端末との間のダイレクトリンク、を介して前記移動端末と通信する通信部、および、前記リレーリンク、前記アクセスリンク、および前記ダイレクトリンク、の各々のアップリンクおよびダウンリンクを、複数のリソースブロックグループのうちのいずれかに含まれるリソースブロックに割当てる割当て部、を有し、前記割当て部は、前記リレーリンクまたは前記アクセスリンクのダウンリンクと、前記ダイレクトリンクのダウンリンクとを、同一のリソースブロックグループに含まれるリソースブロックに割当て、前記リレーリンクまたは前記アクセスリンクのアップリンクと、前記ダイレクトリンクのアップリンクとを、同一のリソースブロックグループに含まれるリソースブロックに割当てる前記基地局と、前記移動端末との通信を、前記割当て部により割り当てられたリソースブロックを利用して中継する、中継装置が提供される。
【発明の効果】
【００２２】
以上説明したように本発明によれば、中継装置を介する通信経路と中継装置を介さない通信経路との間で通信リソースを共有することができる。
【図面の簡単な説明】
【００２３】
【図１】本発明の実施形態による通信システムの構成を示した説明図である。
【図２】本発明の実施形態による通信システムにおける各リンクを示した説明図である。
【図３】本実施形態による通信システムで利用される無線フレームの構成例を示した説明図である。
【図４】移動端末の構成を示した機能ブロック図である。
【図５】中継装置の構成を示した機能ブロック図である。
【図６】基地局の構成を示した機能ブロック図である。
【図７】各リンクの割当てパターン１を示した説明図である。
【図８】同一のリソースブロックグループにアップリンクとダウンリンクが混在する割当て例を示した説明図である。
【図９】各リンクの割当てパターン２を示した説明図である。
【図１０】各リンクの割当てパターン３を示した説明図である。
【図１１】各リンクの割当てパターン４を示した説明図である。
【図１２】各リンクの割当てパターン５を示した説明図である。
【図１３】各リンクの割当てパターン６を示した説明図である。
【図１４】各リンクの割当てパターン７を示した説明図である。
【図１５】各リンクの割当てパターン８を示した説明図である。
【図１６】基地局によるリンク割当ての流れを示したフローチャートである。
【発明を実施するための形態】
【００２４】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２５】
また、本明細書及び図面において、実質的に同一の機能構成を有する複数の構成要素を、同一の符号の後に異なるアルファベットを付して区別する場合もある。例えば、実質的に同一の機能構成を有する複数の構成を、必要に応じて移動端末２０Ａ、２０Ｂおよび２０Ｃのように区別する。ただし、実質的に同一の機能構成を有する複数の構成要素の各々を特に区別する必要がない場合、同一符号のみを付する。例えば、移動端末２０Ａ、２０Ｂおよび２０Ｃを特に区別する必要が無い場合には、単に移動端末２０と称する。
【００２６】
また、以下に示す項目順序に従って当該「発明を実施するための形態」を説明する。
１．通信システムの概要
２．移動端末の構成
３．中継装置の構成
４．基地局の構成
５．通信システムの動作
６．まとめ
【００２７】
＜１．通信システムの概要＞
まず、図１〜図３を参照し、本発明の実施形態による通信システム１について概略的に説明する。図１は、本発明の実施形態による通信システム１の構成を示した説明図である。図１に示したように、本発明の実施形態による通信システム１は、複数の基地局１０Ａ、１０Ｂ、および１０Ｃと、バックボーンネットワーク１２と、複数の移動端末２０Ａ、２０Ｂ、および２０Ｃと、複数の中継装置３０Ａおよび３０Ｂと、を備える。
【００２８】
複数の基地局１０Ａ、１０Ｂ、および１０Ｃは、各々の電波到達範囲内に存在する移動端末２０と通信するためのスケジュール情報を管理する。そして、複数の基地局１０Ａ、１０Ｂ、および１０Ｃは、各々の電波到達範囲内に存在する移動端末２０と、上記スケジュール情報に従って通信する。例えば、基地局１０Ａは、基地局１０Ａの電波到達範囲内に存在する移動端末２０Ｃと通信するための周波数・時間のスケジュール情報を管理する。そして、基地局１０Ａは、基地局１０Ａの電波到達範囲内に存在する移動端末２０Ｃと、上記スケジュール情報に従って通信する。
【００２９】
また、複数の基地局１０Ａ、１０Ｂ、および１０Ｃは、各々の電波到達範囲内に存在する中継装置３０を介して移動端末２０と通信することも可能である。この場合、複数の基地局１０Ａ、１０Ｂ、および１０Ｃは、中継装置３０と通信するためのスケジュール情報、および中継装置３０と移動端末２０が通信するためのスケジュール情報を管理する。例えば、基地局１０Ａは、基地局１０Ａの電波到達範囲内に存在する中継装置３０Ａと通信するための周波数・時間のスケジュール情報を管理し、中継装置３０Ａと移動端末２０Ａ、２０Ｂが通信するための周波数・時間のスケジュール情報を管理する。そして、基地局１０Ａは、中継装置３０Ａと、上記スケジュール情報に従って通信する。
【００３０】
なお、本明細書においては、周波数・時間のスケジュール管理を基地局１０が行う例に重きをおいて説明するが、本発明はかかる例に限定されない。例えば、周波数・時間のスケジュール管理は、基地局１０と中継装置３０が協働して行っても、基地局１０と中継装置３０と移動端末２０とが協働して行っても、中継装置３０が行ってもよい。
【００３１】
また、複数の基地局１０Ａ、１０Ｂ、および１０Ｃは、バックボーンネットワーク１２を介して接続されている。複数の基地局１０Ａ、１０Ｂ、および１０Ｃは、このバックボーンネットワーク１２を介し、例えば各々が管理するスケジュール情報を交換することができる。
【００３２】
中継装置３０は、基地局１０と移動端末２０との通信を、基地局１０が管理する周波数・時間のスケジュール情報に従って中継する。具体的には、中継装置３０は、ダウンリンクにおいて、基地局１０から送信された信号を受信して、増幅した信号を、スケジュール情報に従った周波数・時間を利用して移動端末２０に送信する。中継装置３０は、このような中継を行うことにより、基地局１０からセルエッジ付近の移動端末２０に対して信号を直接送信する場合よりも、信号対雑音比を高くすることが可能である。
【００３３】
同様に、中継装置３０は、アップリンクにおいても、移動端末２０から送信された信号を基地局１０が管理する周波数・時間のスケジュール情報に従って基地局１０へ中継することにより、信号対雑音比を高く保つことができる。なお、図１においては、基地局１０Ａが提供するセルに中継装置３０Ａのみが存在する例を示しているが、基地局１０Ａが提供するセルに複数の中継装置３０が存在してもよい。ここで、図２を参照し、各リンク名を整理する。
【００３４】
図２は、本発明の実施形態による通信システム１における各リンクを示した説明図である。図２に示したように、基地局１０と移動端末２０の間の直接的な通信経路をダイレクトリンクと称する。また、このダイレクトリンクのダウンリンクをダイレクトダウンリンク（Ｄ−ｄ）と称し、ダイレクトリンクのアップリンクをダイレクトアップリンク（Ｄ−ｕ）と称する。
【００３５】
また、基地局１０と中継装置３０の間の通信経路をリレーリンクと称し、このリレーリンクのダウンリンクをリレーダウンリンク（Ｒ−ｄ）と称し、リレーリンクのアップリンクをリレーアップリンク（Ｒ−ｕ）と称する。さらに、中継装置３０と基地局１０の間の通信経路をアクセスリンクと称し、このアクセスリンクのダウンリンクをアクセスダウンリンク（Ａ−ｄ）と称し、アクセスリンクのアップリンクをアクセスアップリンク（Ａ−ｕ）と称する。
【００３６】
図１を参照し、通信システム１の説明に戻る。通信システム１に含まれる移動端末２０は、上述したように、基地局１０と直接、または中継装置３０を介し、基地局１０により管理されるスケジュール情報に従って通信する。なお、移動端末２０が送受信するデータとしては、音声データや、音楽、講演およびラジオ番組などの音楽データや、写真、文書、絵画、図表などの静止画データや、映画、テレビジョン番組、ビデオプログラム、ゲーム画像などの動画データなどが挙げられる。
【００３７】
ここで、図３を参照し、本実施形態による通信システム１で利用される無線フレームの構成を説明する。図３は、本実施形態による通信システム１で利用される無線フレームの構成例を示した説明図である。図３に示したように、各無線フレーム（Ｒａｄｉｏ  Ｆｒａｍｅ）の長さは１０ｍｓである。また、各無線フレームは、長さが１ｍｓである１０のサブフレーム（Ｓｕｂ  Ｆｒａｍｅ）＃０〜＃９で構成される。また、各サブフレームは、２の０．５ｍｓスロットから構成されており、各０．５ｍｓスロットは７のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルから構成されている。
【００３８】
また、サブフレーム＃０および＃５に含まれる前半の０．５ｍｓスロットの、５番目および６番目のＯＦＤＭシンボルは、同期用のリファレンス信号の送信に利用される。移動端末２０は、基地局１０または中継局３０から送信されるこのリファレンス信号に基づいてセルサーチおよび同期処理を行う。
【００３９】
なお、基地局１０は、移動端末２０との通信のために上記の０．５ｍｓＳｌｏｔ単位で時間を割り当てる。また、アップリンクとダウンリンクを分離するために、ＦＤＤ（Ｆｒｅｑｕｅｎｃｙ  Ｄｉｖｉｓｉｏｎ  Ｄｕｐｌｅｘ）およびＴＤＤ（Ｔｉｍｅ  Ｄｉｖｉｓｉｏｎ  Ｄｕｐｌｅｘ）が利用される。ＴＤＤの場合には、１サブフレームごとにサブフレームをアップリンクに使用するか、ダウンリンクに使用するかを選ぶことが可能である。
【００４０】
＜２．移動端末の構成＞
以上、図１〜図３を参照し、本実施形態による通信システム１について概略的に説明した。続いて、図４を参照し、本実施形態による通信システム１に含まれる移動端末２０の構成を説明する。図４は、移動端末２０の構成を示した機能ブロック図である。図４に示したように、移動端末２０は、複数のアンテナ２２０ａ〜２２０ｎと、アナログ処理部２２４と、ＡＤ・ＤＡ変換部２２８と、デジタル処理部２３０と、を備える。
【００４１】
複数のアンテナ２２０ａ〜２２０ｎの各々は、基地局１０または中継装置３０から無線信号を受信して電気的な高周波信号を取得し、高周波信号をアナログ処理部２２４へ供給する。また、複数のアンテナ２２０ａ〜２２０ｎの各々は、アナログ処理部２２４から供給される高周波信号に基づいて基地局１０または中継装置３０に無線信号を送信する。移動端末２０は、このように複数のアンテナ２２０ａ〜２２０ｎを備えるため、ＭＩＭＯ（Ｍｕｌｔｉｐｌｅ  Ｉｎｐｕｔ  Ｍｕｌｔｉｐｌｅ  Ｏｕｔｐｕｔ）通信やダイバーシティ通信を行うことが可能である。
【００４２】
アナログ処理部２２４は、増幅、フィルタリング、およびダウンコンバージョンなどのアナログ処理を行うことにより、複数のアンテナ２２０ａ〜２２０ｎから供給される高周波信号をベースバンド信号に変換する。また、アナログ処理部２２４は、ＡＤ・ＤＡ変換部２２８から供給されるベースバンド信号を高周波信号に変換する。
【００４３】
ＡＤ・ＤＡ変換部２２８は、アナログ処理部２２４から供給されるアナログ形式のベースバンド信号をデジタル形式に変換し、デジタル処理部２３０に供給する。また、ＡＤ・ＤＡ変換部２２８は、デジタル処理部２３０から供給されるデジタル形式のベースバンド信号をアナログ形式に変換し、アナログ処理部２２４に供給する。
【００４４】
デジタル処理部２３０は、同期部２３２と、デコーダ２３４と、ＳＩＮＲ（Ｓｉｇｎａｌ  ｔｏ  Ｉｎｔｅｒｆｅｒｅｎｃｅ  ｐｌｕｓ  Ｎｏｉｓｅ  Ｒａｔｉｏ）取得部２３６と、送信データ生成部２３８と、エンコーダ２４０と、制御部２４２と、スケジュール情報保持部２４４と、を備える。このうち、同期部２３２、デコーダ２３４、およびエンコーダ２４０などは、複数のアンテナ２２０ａ〜２２０ｎ、アナログ処理部２２４、およびＡＤ・ＤＡ変換部２２８と共に、基地局１０や中継装置３０と通信するための通信部として機能する。
【００４５】
同期部２３２は、基地局１０や中継装置３０から送信されたリファレンス信号がＡＤ・ＤＡ変換部２２８から供給され、このリファレンス信号に基づいて無線フレームの同期処理を行う。具体的には、同期部２３２は、リファレンス信号と既知のシーケンスパターンとの相関を演算し、相関のピーク位置を検出することにより無線フレームの同期をとる。
【００４６】
デコーダ２３４は、ＡＤ・ＤＡ変換部２２８から供給されるベースバンド信号をデコードして受信データを得る。なお、上記デコードは、例えばＭＩＭＯ受信処理およびＯＦＤＭ復調処理を含んでもよい。
【００４７】
ＳＩＮＲ取得部２３６は、同期部２３２により得られたリファレンス信号の相関から、中継装置３０との間のＳＩＮＲの大きさを取得する。ここで、各中継装置３０は、複数のシーケンスパターンのうちのいずれかを有するリファレンス信号を送信する。このため、ＳＩＮＲ取得部２３６は、リファレンス信号のシーケンスパターンの相違に基づいて中継装置３０ごとのＳＩＮＲを取得することができる。
【００４８】
送信データ生成部２３８は、ＳＩＮＲ取得部２３６から中継装置３０ごとのＳＩＮＲを示す情報が供給され、この情報を含む送信データを生成してエンコーダ２４０に供給する。
【００４９】
エンコーダ２４０は、送信データ生成部２３８から供給される送信データをエンコードし、ＡＤ・ＤＡ変換部２２８に供給する。なお、エンコードは、例えばＭＩＭＯ送信処理およびＯＦＤＭ変調処理を含んでもよい。
【００５０】
制御部２４２は、移動端末２０における送信処理および受信処理を、スケジュール情報保持部２４４に保持されているスケジュール情報に従って制御する。例えば、移動端末２０は、制御部２４２による制御に基づき、スケジュール情報の示すリソースブロックを利用して送信処理および受信処理を行う。
【００５１】
スケジュール情報保持部２４４は、基地局１０により管理されるスケジュール情報を保持する。このスケジュール情報は、例えば、アクセスダウンリンクに利用するリソースブロック、アクセスアップリンクに利用するリソースブロックを示す。
【００５２】
なお、アップリンクおよびダウンリンクのスケジュール情報は、下りリンク制御チャネルであるＰＤＣＨ（Ｐｈｙｓｉｃａｌ  Ｄｏｗｎｌｉｎｋ  Ｃｏｎｔｒｏｌ  Ｃｈａｎｎｅｌ）に含まれる。また、このＰＤＣＨは、無線フレーム中でダウンリンクに割当てられるサブフレームの先頭の１〜３ＯＦＤＭシンボルを利用して送信される。
【００５３】
＜３．中継装置の構成＞
次に、図５を参照し、中継装置３０の構成を説明する。図５は、中継装置３０の構成を示した機能ブロック図である。図５に示したように、中継装置３０は、複数のアンテナ３２０ａ〜３２０ｎと、アナログ処理部３２４と、ＡＤ・ＤＡ変換部３２８と、デジタル処理部３３０と、を備える。
【００５４】
複数のアンテナ３２０ａ〜３２０ｎの各々は、基地局１０または移動端末２０から無線信号を受信して電気的な高周波信号を取得し、高周波信号をアナログ処理部３２４へ供給する。また、複数のアンテナ３２０ａ〜３２０ｎの各々は、アナログ処理部３２４から供給される高周波信号に基づいて基地局１０または移動端末２０に無線信号を送信する。中継装置３０は、このように複数のアンテナ３２０ａ〜３２０ｎを備えるため、ＭＩＭＯ通信やダイバーシティ通信を行うことが可能である。
【００５５】
アナログ処理部３２４は、増幅、フィルタリング、およびダウンコンバージョンなどのアナログ処理を行うことにより、複数のアンテナ３２０ａ〜３２０ｎから供給される高周波信号をベースバンド信号に変換する。また、アナログ処理部３２４は、ＡＤ・ＤＡ変換部３２８から供給されるベースバンド信号を高周波信号に変換する。
【００５６】
ＡＤ・ＤＡ変換部３２８は、アナログ処理部３２４から供給されるアナログ形式のベースバンド信号をデジタル形式に変換し、デジタル処理部３３０に供給する。また、ＡＤ・ＤＡ変換部３２８は、デジタル処理部３３０から供給されるデジタル形式のベースバンド信号をアナログ形式に変換し、アナログ処理部３２４に供給する。
【００５７】
デジタル処理部３３０は、同期部３３２と、デコーダ３３４と、バッファ３３８と、エンコーダ３４０と、制御部３４２と、スケジュール情報保持部３４４と、を備える。このうち、同期部３３２、デコーダ３３４、およびエンコーダ３４０などは、複数のアンテナ３２０ａ〜３２０ｎ、アナログ処理部３２４、およびＡＤ・ＤＡ変換部３２８と共に、基地局１０や移動端末２０と通信するための通信部として機能する。
【００５８】
同期部３３２は、基地局１０から送信されたリファレンス信号がＡＤ・ＤＡ変換部３２８から供給され、このリファレンス信号に基づいて無線フレームの同期処理を行う。具体的には、同期部３３２は、リファレンス信号と既知のシーケンスパターンとの相関を演算し、相関のピーク位置を検出することにより無線フレームの同期をとる。
【００５９】
デコーダ３３４は、ＡＤ・ＤＡ変換部３２８から供給されるベースバンド信号をデコードして基地局１０宛または移動端末２０宛の中継データを得る。なお、デコードは、例えばＭＩＭＯ受信処理、ＯＦＤＭ復調処理および誤り訂正処理などを含んでもよい。
【００６０】
バッファ３３８は、デコーダ３３４により得られた基地局１０宛または移動端末２０宛の中継データを一時的に保持する。そして、制御部３４２の制御により、移動端末２０へのアクセスダウンリンクの送信時間においてバッファ３３８からエンコーダ３４０へ移動端末２０宛の中継データが読み出される。同様に、制御部３４２の制御により、基地局１０へのリレーアップリンクの送信時間においてバッファ３３８からエンコーダ３４０へ基地局１０宛の中継データが読み出される。
【００６１】
エンコーダ３４０は、バッファ３３８から供給されるデータをエンコードし、ＡＤ・ＤＡ変換部３２８に供給する。なお、エンコードは、例えばＭＩＭＯ送信処理およびＯＦＤＭ変調処理を含んでもよい。
【００６２】
制御部３４２は、中継装置３０における送信処理および受信処理を、スケジュール情報保持部３４４に保持されているスケジュール情報に従って制御する。例えば、中継装置３０は、制御部３４２による制御に基づき、スケジュール情報の示すリソースブロックを利用して送信処理および受信処理を行う。
【００６３】
スケジュール情報保持部３４４は、基地局１０により管理されるスケジュール情報を保持する。このスケジュール情報は、例えば、リレーダウンリンク、アクセスダウンリンク、アクセスアップリンク、およびリレーアップリンクの各々に利用するリソースブロックを示す。
【００６４】
＜４．基地局の構成＞
続いて、図６〜図１６を参照し、基地局１０の構成を説明する。
【００６５】
図６は、基地局１０の構成を示した機能ブロック図である。図６に示したように、基地局１０は、複数のアンテナ１２０ａ〜１２０ｎと、アナログ処理部１２４と、ＡＤ・ＤＡ変換部１２８と、デジタル処理部１３０と、を備える。
【００６６】
複数のアンテナ１２０ａ〜１２０ｎの各々は、中継装置３０または移動端末２０から無線信号を受信して電気的な高周波信号を取得し、高周波信号をアナログ処理部１２４へ供給する。また、複数のアンテナ１２０ａ〜１２０ｎの各々は、アナログ処理部１２４から供給される高周波信号に基づいて無線信号を中継装置３０または移動端末２０に送信する。基地局１０は、このように複数のアンテナ１２０ａ〜１２０ｎを備えるため、ＭＩＭＯ通信やダイバーシティ通信を行うことが可能である。
【００６７】
アナログ処理部１２４は、増幅、フィルタリング、およびダウンコンバージョンなどのアナログ処理を行うことにより、複数のアンテナ１２０ａ〜１２０ｎから供給される高周波信号をベースバンド信号に変換する。また、アナログ処理部１２４は、ＡＤ・ＤＡ変換部１２８から供給されるベースバンド信号を高周波信号に変換する。
【００６８】
ＡＤ・ＤＡ変換部１２８は、アナログ処理部１２４から供給されるアナログ形式のベースバンド信号をデジタル形式に変換し、デジタル処理部１３０に供給する。また、ＡＤ・ＤＡ変換部１２８は、デジタル処理部１３０から供給されるデジタル形式のベースバンド信号をアナログ形式に変換し、アナログ処理部１２４に供給する。
【００６９】
デジタル処理部１３０は、デコーダ１３４と、送信データ生成部１３８と、エンコーダ１４０と、制御部１４２と、スケジュール情報保持部１４４と、スケジューラ１５６と、を備える。このうち、デコーダ１３４、およびエンコーダ１４０などは、複数のアンテナ１２０ａ〜１２０ｎ、アナログ処理部１２４、およびＡＤ・ＤＡ変換部１２８と共に、中継装置３０や移動端末２０と通信するための通信部として機能する。
【００７０】
デコーダ１３４は、ＡＤ・ＤＡ変換部１２８から供給されるベースバンド信号をデコードして受信データを得る。なお、デコードは、例えばＭＩＭＯ受信処理、ＯＦＤＭ復調処理および誤り訂正処理などを含んでもよい。
【００７１】
送信データ生成部１３８は、スケジューラ１５６によりスケジュールされたスケジュール情報を含む送信データを生成する。なお、スケジュール情報は、上述したようにサブフレーム先頭に配置されるＰＤＣＨに含まれる。
【００７２】
エンコーダ１４０は、送信データ生成部１３８から供給される送信データをエンコードし、ＡＤ・ＤＡ変換部１２８に供給する。なお、エンコードは、例えばＭＩＭＯ送信処理およびＯＦＤＭ変調処理を含んでもよい。
【００７３】
制御部１４２は、基地局１０における送信処理および受信処理を、スケジュール情報保持部１４４に保持されているスケジュール情報に従って制御する。例えば、基地局１０は、制御部１４２による制御に基づき、スケジュール情報の示すリソースブロックを利用して送信処理および受信処理を行う。
【００７４】
スケジュール情報保持部１４４は、スケジューラ１５６により決定されたスケジュール情報を保持する。
【００７５】
スケジューラ１５６（割当て部）は、中継装置３０とのリレーリンク通信、中継装置３０と移動端末２０とのアクセスリンク通信、および移動端末２０とのダイレクトリンク通信をスケジューリングする。
【００７６】
より詳細には、スケジューラ１５６は、リレーダウンリンク、アクセスダウンリンク、アクセスアップリンク、リレーアップリンク、ダイレクトダウンリンク、およびダイレクトアップリンクへのリソース割当てを、複数の割当てパターンのうちのいずれかに従って行う。
【００７７】
例えば、スケジューラ１５６は、リレーダウンリンク、アクセスダウンリンク、アクセスアップリンク、およびリレーアップリンクに、異なるリソースブロックグループに含まれるリソースブロックに割当てる。また、スケジューラ１５６は、ダイレクトアップリンクを、リレーアップリンクまたはアクセスアップリンクと同一のリソースブロックグループに含まれるリソースブロックに割当てる。同様に、スケジューラ１５６は、ダイレクトダウンリンクを、リレーダウンリンクまたはアクセスダウンリンクと同一のリソースブロックグループに含まれるリソースブロックに割当てる。以下、図７以下を参照して、スケジューラ１５６による各リンクの割当てパターンについて具体的に説明する。
【００７８】
（割当てパターン１）
図７は、各リンクの割当てパターン１を示した説明図である。図７に示したように、割当てパターン１においては、周波数Ｆ２・時間Ｔ１で定義されるリソースブロックグループにリレーダウンリンク（Ｒ−ｄ）が割当てられ、周波数Ｆ２・時間Ｔ２で定義されるリソースブロックグループにアクセスダウンリンク（Ａ−ｄ）が割当てられ、周波数Ｆ１・時間Ｔ１で定義されるリソースブロックグループにアクセスアップリンク（Ａ−ｕ）が割当てられ、周波数Ｆ１・時間Ｔ２で定義されるリソースブロックグループにリレーアップリンク（Ｒ−ｕ）が割当てられる。
【００７９】
この割当てパターン１においては、基地局１０は、周波数Ｆ２・時間Ｔ１で定義されるリソースブロックグループに含まれるリソースブロックでリレーダウンリンクを介して中継装置３０へデータを送信する。そして、中継装置３０は、リレーダウンリンクを介して送信されたデータを受信し、バッファ３３８に中継データとして保持した後に、周波数Ｆ２・時間Ｔ２で定義されるリソースブロックグループに含まれるリソースブロックでアクセスダウンリンクを介して移動端末２０へ中継データを送信する。
【００８０】
また、移動端末２０は、周波数Ｆ１・時間Ｔ１で定義されるリソースブロックグループに含まれるリソースブロックでアクセスアップリンクを介して中継装置３０へデータを送信する。そして、中継装置３０は、アクセスアップリンクを介して送信されたデータを受信し、バッファ３３８に中継データとして保持した後に、周波数Ｆ１・時間Ｔ２で定義されるリソースブロックグループに含まれるリソースブロックでリレーアップリンクを介して基地局１０へ中継データを送信する。
【００８１】
このように、割当てパターン１においては、アップリンクとダウンリンクが周波数で分離され、同一方向のリレーリンクとアクセスリンクが時間で分離されるため、各リンク間の干渉を抑制できる。
【００８２】
なお、図７に示したように、１のリソースブロックグループは複数のリソースブロックから構成される。また、１のリソースブロックは、例えば１２サブキャリアおよび０．５ｍｓスロット（７ＯＦＤＭシンボル）で構成される。このリソースブロックは、各チャネルへのリンク割当ての単位である。したがって、１のリソースブロックグループにおいては時間方向および周波数方向で複数のチャネルを多重することができる。
【００８３】
また、割当てパターン１においては、ダイレクトダウンリンク（Ｄ−ｄ）が、リレーダウンリンク（Ｒ−ｄ）と同一のリソースブロックグループ、およびアクセスダウンリンク（Ａ−ｄ）と同一のリソースブロックグループに割り当てられる。一方、ダイレクトアップリンク（Ｄ−ｕ）が、リレーアップンリンク（Ｒ−ｕ）と同一のリソースブロックグループ、およびアクセスアップリンク（Ａ−ｕ）と同一のリソースブロックグループに割り当てられる。
【００８４】
このように、ダイレクトダウンリンクを他のダウンリンクと同一のリソースブロックグループに割当て、ダイレクトアップリンクを他のアップリンクと同一のリソースブロックグループに割当てることとした背景を説明する。
【００８５】
ＬＴＥ（Ｌｏｎｇ  Ｔｅｒｍ  Ｅｖｏｌｕｔｉｏｎ）では、各移動端末２０が、通信リソースをリソースブロック単位で共有して使用している。また、各移動端末２０は、基地局１０のスケジューラ１５６によるスケジューリングに従い、ダウンリンク用のリソースブロックグループをダウンリンクのために共有し、アップリンク用のリソースブロックグループをアップリンクのために共有する。
【００８６】
すなわち、ＬＴＥにおいては、同一のリソースブロックグループをアップリンクおよびダウンリンクの双方のために共有することはしない。これは、基地局や移動端末が、通常、同一のリソースブロックグループにアップリンクとダウンリンクを混在させられない構成を有するためである。
【００８７】
一方、中継装置３０の導入に際しては、リレーリンクとダイレクトリンク間、またはアクセスリンクとダイレクトリンク間において、リソースを共有できることが望ましい。ここで、ＬＴＥの動作を踏襲する場合、スケジューラ１５６は、ダウンリンク用のリソースブロックグループにおけるダウンリンクのためのリソース分配、およびアップリンク用のリソースブロックグループにおけるアップリンクのためのリソース分配を変更することが可能である。
【００８８】
そこで、本実施形態においては、上記のように、ダイレクトダウンリンクを他のダウンリンクと同一のリソースブロックグループに割当て、ダイレクトアップリンクを他のアップリンクと同一のリソースブロックグループに割当てることとした。なお、反対に、図８に示すような割当てを行ってリソースを共有することは困難である。
【００８９】
図８は、同一のリソースブロックグループにアップリンクとダウンリンクが混在する割当て例を示した説明図である。図８に示した例では、周波数Ｆ２・時間Ｔ１で定義されるリソースブロックグループ、周波数Ｆ２・時間Ｔ２で定義されるリソースブロックグループ、周波数Ｆ１・時間Ｔ１で定義されるリソースブロックグループ、および周波数Ｆ１・時間Ｔ２で定義されるリソースブロックグループの各々に、アップリンクおよびダウンリンクが混在している。しかし、このような通信リソースの共有は困難である。
【００９０】
以下、本実施形態によるその他の割当てパターン２〜８について図９〜図１５を参照して説明する。
【００９１】
（割当てパターン２）
図９は、各リンクの割当てパターン２を示した説明図である。図９に示したように、割当てパターン２においては、周波数Ｆ２・時間Ｔ１で定義されるリソースブロックグループにアクセスダウンリンク（Ａ−ｄ）が割当てられ、周波数Ｆ２・時間Ｔ２で定義されるリソースブロックグループにリレーダウンリンク（Ｒ−ｄ）が割当てられ、周波数Ｆ１・時間Ｔ１で定義されるリソースブロックグループにアクセスアップリンク（Ａ−ｕ）が割当てられ、周波数Ｆ１・時間Ｔ２で定義されるリソースブロックグループにリレーアップリンク（Ｒ−ｕ）が割当てられる。
【００９２】
この割当てパターン２においては、中継装置３０は、バッファ３３８に保持されている中継データを、周波数Ｆ２・時間Ｔ１で定義されるリソースブロックグループに含まれるリソースブロックでアクセスダウンリンクを介して移動端末２０へ送信する。また、基地局１０は、周波数Ｆ２・時間Ｔ１で定義されるリソースブロックグループに含まれるリソースブロックでリレーダウンリンクを介して中継装置３０へデータを送信する。
【００９３】
また、移動端末２０は、周波数Ｆ１・時間Ｔ１で定義されるリソースブロックグループに含まれるリソースブロックでアクセスアップリンクを介して中継装置３０へデータを送信する。そして、中継装置３０は、アクセスアップリンクを介して送信されたデータを受信し、バッファ３３８に中継データとして保持した後に、周波数Ｆ１・時間Ｔ２で定義されるリソースブロックグループに含まれるリソースブロックでリレーアップリンクを介して基地局１０へ中継データを送信する。
【００９４】
このように、割当てパターン２においては、アップリンクとダウンリンクが周波数で分離され、同一方向のリレーリンクとアクセスリンクが時間で分離されるため、各リンク間の干渉を抑制できる。
【００９５】
さらに、割当てパターン２においては、ダイレクトダウンリンク（Ｄ−ｄ）が、リレーダウンリンク（Ｒ−ｄ）と同一の周波数Ｆ２・時間Ｔ２で定義されるリソースブロックグループ、およびアクセスダウンリンク（Ａ−ｄ）と同一の周波数Ｆ２・時間Ｔ１で定義されるリソースブロックグループに割り当てられる。
【００９６】
同様に、ダイレクトアップリンク（Ｄ−ｕ）が、リレーアップンリンク（Ｒ−ｕ）と同一の周波数Ｆ１・時間Ｔ２で定義されるリソースブロックグループ、およびアクセスアップリンク（Ａ−ｕ）と同一の周波数Ｆ１・時間Ｔ１で定義されるリソースブロックグループに割り当てられる。
【００９７】
このように、割当てパターン２に従ったリンク割当てを行うことにより、リレーリンクまたはアクセスリンクと、ダイレクトリンクとの間でリソースブロックグループ（通信リソース）を共有することが可能となる。
【００９８】
（割当てパターン３）
図１０は、各リンクの割当てパターン３を示した説明図である。図１０に示したように、割当てパターン３においては、周波数Ｆ２・時間Ｔ１で定義されるリソースブロックグループにリレーダウンリンク（Ｒ−ｄ）が割当てられ、周波数Ｆ１・時間Ｔ２で定義されるリソースブロックグループにアクセスダウンリンク（Ａ−ｄ）が割当てられ、周波数Ｆ１・時間Ｔ１で定義されるリソースブロックグループにアクセスアップリンク（Ａ−ｕ）が割当てられ、周波数Ｆ２・時間Ｔ２で定義されるリソースブロックグループにリレーアップリンク（Ｒ−ｕ）が割当てられる。
【００９９】
この割当てパターン３においては、基地局１０は、周波数Ｆ２・時間Ｔ１で定義されるリソースブロックグループに含まれるリソースブロックでリレーダウンリンクを介して中継装置３０へデータを送信する。そして、中継装置３０は、リレーダウンリンクを介して送信されたデータを受信し、バッファ３３８に中継データとして保持した後に、周波数Ｆ１・時間Ｔ２で定義されるリソースブロックグループに含まれるリソースブロックでアクセスダウンリンクを介して移動端末２０へ中継データを送信する。
【０１００】
また、移動端末２０は、周波数Ｆ１・時間Ｔ１で定義されるリソースブロックグループに含まれるリソースブロックでアクセスアップリンクを介して中継装置３０へデータを送信する。そして、中継装置３０は、アクセスアップリンクを介して送信されたデータを受信し、バッファ３３８に中継データとして保持した後に、周波数Ｆ２・時間Ｔ２で定義されるリソースブロックグループに含まれるリソースブロックでリレーアップリンクを介して基地局１０へ中継データを送信する。
【０１０１】
このように、割当てパターン３においては、アップリンクとダウンリンクが周波数で分離され、同一方向のリレーリンクとアクセスリンクは周波数および時間の双方で分離されるため、各リンク間の干渉を抑制できる。
【０１０２】
さらに、割当てパターン３においては、ダイレクトダウンリンク（Ｄ−ｄ）が、リレーダウンリンク（Ｒ−ｄ）と同一の周波数Ｆ２・時間Ｔ１で定義されるリソースブロックグループ、およびアクセスダウンリンク（Ａ−ｄ）と同一の周波数Ｆ１・時間Ｔ２で定義されるリソースブロックグループに割り当てられる。
【０１０３】
同様に、ダイレクトアップリンク（Ｄ−ｕ）が、リレーアップンリンク（Ｒ−ｕ）と同一の周波数Ｆ２・時間Ｔ２で定義されるリソースブロックグループ、およびアクセスアップリンク（Ａ−ｕ）と同一の周波数Ｆ１・時間Ｔ１で定義されるリソースブロックグループに割り当てられる。
【０１０４】
このように、割当てパターン３に従ったリンク割当てを行うことにより、リレーリンクまたはアクセスリンクと、ダイレクトリンクとの間でリソースブロックグループを共有することが可能となる。
【０１０５】
（割当てパターン４）
図１１は、各リンクの割当てパターン４を示した説明図である。図１１に示したように、割当てパターン４においては、周波数Ｆ２・時間Ｔ１で定義されるリソースブロックグループにリレーダウンリンク（Ｒ−ｄ）が割当てられ、周波数Ｆ１・時間Ｔ２で定義されるリソースブロックグループにアクセスダウンリンク（Ａ−ｄ）が割当てられ、周波数Ｆ２・時間Ｔ２で定義されるリソースブロックグループにアクセスアップリンク（Ａ−ｕ）が割当てられ、周波数Ｆ１・時間Ｔ１で定義されるリソースブロックグループにリレーアップリンク（Ｒ−ｕ）が割当てられる。
【０１０６】
この割当てパターン４においては、基地局１０は、周波数Ｆ２・時間Ｔ１で定義されるリソースブロックグループに含まれるリソースブロックでリレーダウンリンクを介して中継装置３０へデータを送信する。そして、中継装置３０は、リレーダウンリンクを介して送信されたデータを受信し、バッファ３３８に中継データとして保持した後に、周波数Ｆ１・時間Ｔ２で定義されるリソースブロックグループに含まれるリソースブロックでアクセスダウンリンクを介して移動端末２０へ中継データを送信する。
【０１０７】
また、中継装置３０は、バッファ３３８に保持されている中継データを、周波数Ｆ１・時間Ｔ１で定義されるリソースブロックグループに含まれるリソースブロックでリレーアップリンクを介して基地局１０へ送信する。また、移動端末２０は、周波数Ｆ２・時間Ｔ２で定義されるリソースブロックグループに含まれるリソースブロックでアクセスアップリンクを介して中継装置３０へデータを送信する。
【０１０８】
このように、割当てパターン４においても、アップリンクとダウンリンクが周波数で分離され、同一方向のリレーリンクとアクセスリンクは周波数および時間の双方で分離されるため、各リンク間の干渉を抑制できる。
【０１０９】
さらに、割当てパターン４においては、ダイレクトダウンリンク（Ｄ−ｄ）が、リレーダウンリンク（Ｒ−ｄ）と同一の周波数Ｆ２・時間Ｔ１で定義されるリソースブロックグループ、およびアクセスダウンリンク（Ａ−ｄ）と同一の周波数Ｆ１・時間Ｔ２で定義されるリソースブロックグループに割り当てられる。
【０１１０】
同様に、ダイレクトアップリンク（Ｄ−ｕ）が、リレーアップンリンク（Ｒ−ｕ）と同一の周波数Ｆ１・時間Ｔ１で定義されるリソースブロックグループ、およびアクセスアップリンク（Ａ−ｕ）と同一の周波数Ｆ２・時間Ｔ２で定義されるリソースブロックグループに割り当てられる。
【０１１１】
このように、割当てパターン４に従ったリンク割当てを行うことにより、リレーリンクまたはアクセスリンクと、ダイレクトリンクとの間でリソースブロックグループを共有することが可能となる。
【０１１２】
（割当てパターン５）
図１２は、各リンクの割当てパターン５を示した説明図である。図１２に示したように、割当てパターン５においては、周波数Ｆ１・時間Ｔ１で定義されるリソースブロックグループにリレーダウンリンク（Ｒ−ｄ）が割当てられ、周波数Ｆ２・時間Ｔ１で定義されるリソースブロックグループにアクセスダウンリンク（Ａ−ｄ）が割当てられ、周波数Ｆ１・時間Ｔ２で定義されるリソースブロックグループにアクセスアップリンク（Ａ−ｕ）が割当てられ、周波数Ｆ２・時間Ｔ２で定義されるリソースブロックグループにリレーアップリンク（Ｒ−ｕ）が割当てられる。
【０１１３】
上述のように割当てパターン５においては、割当てパターン１〜４と異なり、リレーリンクとアクセスリンクが周波数で分離されている。このため、リレーリンクのダウンリンクおよびアクセスリンクのダウンリンク間で生じる遅延を、スロット単位でなく、ＯＦＤＭシンボル単位に短縮することができる。同様に、アクセスリンクのアップリンクおよびリレーリンクのアップリンク間で生じる遅延を、スロット単位でなく、ＯＦＤＭシンボル単位に短縮することができる。
【０１１４】
具体的には、基地局１０は、周波数Ｆ１・時間Ｔ１で定義されるリソースブロックグループに含まれるリソースブロックでリレーダウンリンクを介して中継装置３０へデータを送信する。そして、中継装置３０は、リレーダウンリンクを介して受信したデータの、デコード、バッファリング、エンコード、およびアクセスダウンリンクを介する移動端末２０への送信を、受信からＯＦＤＭシンボル単位の遅延量で、周波数Ｆ２・時間Ｔ１で定義されるリソースブロックグループに含まれるリソースブロックを利用して行う。なお、遅延量は、１ＯＦＤＭシンボル〜複数のＯＦＤＭシンボルの間で可変であってもよい。
【０１１５】
また、移動端末２０は、周波数Ｆ１・時間Ｔ２で定義されるリソースブロックグループに含まれるリソースブロックでアクセスアップリンクを介して中継装置３０へデータを送信する。そして、中継装置３０は、アクセスアップリンクを介して受信したデータの、デコード、バッファリング、エンコード、およびリレーアップリンクを介する基地局１０への送信を、受信からＯＦＤＭシンボル単位の遅延量で、周波数Ｆ２・時間Ｔ２で定義されるリソースブロックグループに含まれるリソースブロックを利用して行う。
【０１１６】
このように、割当てパターン５においては、リレーリンクとアクセスリンクが周波数で分離され（ＦＤＤ）、アップリンクとダウンリンクが時間で分離される（ＴＤＤ）。このため、割当てパターン５によれば、各リンク間の干渉を抑制しつつ、基地局１０および移動端末２０の間で生じる遅延を、リレーリンクとアクセスリンクを時間で分離する割当てパターン１〜４より短縮できる。
【０１１７】
さらに、割当てパターン５においては、ダイレクトダウンリンク（Ｄ−ｄ）が、リレーダウンリンク（Ｒ−ｄ）と同一の周波数Ｆ１・時間Ｔ１で定義されるリソースブロックグループ、およびアクセスダウンリンク（Ａ−ｄ）と同一の周波数Ｆ２・時間Ｔ１で定義されるリソースブロックグループに割り当てられる。
【０１１８】
同様に、ダイレクトアップリンク（Ｄ−ｕ）が、リレーアップンリンク（Ｒ−ｕ）と同一の周波数Ｆ２・時間Ｔ２で定義されるリソースブロックグループ、およびアクセスアップリンク（Ａ−ｕ）と同一の周波数Ｆ１・時間Ｔ２で定義されるリソースブロックグループに割り当てられる。
【０１１９】
このように、割当てパターン５に従ったリンク割当てを行うことにより、リレーリンクまたはアクセスリンクと、ダイレクトリンクとの間でリソースブロックグループを共有することが可能となる。
【０１２０】
（割当てパターン６）
図１３は、各リンクの割当てパターン６を示した説明図である。図１３に示したように、割当てパターン６においては、周波数Ｆ１・時間Ｔ１で定義されるリソースブロックグループにリレーダウンリンク（Ｒ−ｄ）が割当てられ、周波数Ｆ２・時間Ｔ１で定義されるリソースブロックグループにアクセスダウンリンク（Ａ−ｄ）が割当てられ、周波数Ｆ２・時間Ｔ２で定義されるリソースブロックグループにアクセスアップリンク（Ａ−ｕ）が割当てられ、周波数Ｆ１・時間Ｔ２で定義されるリソースブロックグループにリレーアップリンク（Ｒ−ｕ）が割当てられる。
【０１２１】
このように、割当てパターン６においても、割当てパターン５と同様に、リレーリンクとアクセスリンクが周波数で分離されている。このため、リレーリンクのダウンリンクおよびアクセスリンクのダウンリンクの間で生じる遅延を、スロット単位でなく、ＯＦＤＭシンボル単位に短縮することができる。同様に、アクセスリンクのアップリンクおよびリレーリンクのアップリンク間で生じる遅延を、スロット単位でなく、ＯＦＤＭシンボル単位に短縮することができる。
【０１２２】
具体的には、基地局１０は、周波数Ｆ１・時間Ｔ１で定義されるリソースブロックグループに含まれるリソースブロックでリレーダウンリンクを介して中継装置３０へデータを送信する。そして、中継装置３０は、リレーダウンリンクを介して受信したデータの、デコード、バッファリング、エンコード、およびアクセスダウンリンクを介する移動端末２０への送信を、受信からＯＦＤＭシンボル単位の遅延量で、周波数Ｆ２・時間Ｔ１で定義されるリソースブロックグループに含まれるリソースブロックを利用して行う。なお、遅延量は、１ＯＦＤＭシンボル〜複数のＯＦＤＭシンボルの間で可変であってもよい。
【０１２３】
また、移動端末２０は、周波数Ｆ２・時間Ｔ２で定義されるリソースブロックグループに含まれるリソースブロックでアクセスアップリンクを介して中継装置３０へデータを送信する。そして、中継装置３０は、アクセスアップリンクを介して受信したデータの、デコード、バッファリング、エンコード、およびリレーアップリンクを介する基地局１０への送信を、受信からＯＦＤＭシンボル単位の遅延量で、周波数Ｆ１・時間Ｔ２で定義されるリソースブロックグループに含まれるリソースブロックを利用して行う。
【０１２４】
このように、割当てパターン６においては、リレーリンクとアクセスリンクが周波数で分離され（ＦＤＤ）、アップリンクとダウンリンクが時間および周波数の双方で分離される（ＴＤＤ）。このため、割当てパターン６によれば、各リンク間の干渉を抑制しつつ、基地局１０および移動端末２０の間で生じる遅延を、リレーリンクとアクセスリンクを時間で分離する割当てパターン１〜４より短縮できる。
【０１２５】
さらに、割当てパターン６においては、ダイレクトダウンリンク（Ｄ−ｄ）が、リレーダウンリンク（Ｒ−ｄ）と同一の周波数Ｆ１・時間Ｔ１で定義されるリソースブロックグループ、およびアクセスダウンリンク（Ａ−ｄ）と同一の周波数Ｆ２・時間Ｔ１で定義されるリソースブロックグループに割り当てられる。
【０１２６】
同様に、ダイレクトアップリンク（Ｄ−ｕ）が、リレーアップンリンク（Ｒ−ｕ）と同一の周波数Ｆ１・時間Ｔ２で定義されるリソースブロックグループ、およびアクセスアップリンク（Ａ−ｕ）と同一の周波数Ｆ２・時間Ｔ２で定義されるリソースブロックグループに割り当てられる。
【０１２７】
このように、割当てパターン６に従ったリンク割当てを行うことにより、リレーリンクまたはアクセスリンクと、ダイレクトリンクとの間でリソースブロックグループを共有することが可能となる。
【０１２８】
（割当てパターン７）
図１４は、各リンクの割当てパターン７を示した説明図である。図１４に示したように、割当てパターン７においては、周波数Ｆ１・時間Ｔ１で定義されるリソースブロックグループにリレーダウンリンク（Ｒ−ｄ）が割当てられ、周波数Ｆ２・時間Ｔ１で定義されるリソースブロックグループにアクセスダウンリンク（Ａ−ｄ）が割当てられ、周波数Ｆ３・時間Ｔ１で定義されるリソースブロックグループにアクセスアップリンク（Ａ−ｕ）が割当てられ、周波数Ｆ４・時間Ｔ１で定義されるリソースブロックグループにリレーアップリンク（Ｒ−ｕ）が割当てられる。
【０１２９】
このように、割当てパターン７においては、リレーリンクとアクセスリンクが周波数で分離され、かつ、アップリンクとダウンリンクも周波数で分離されている。このため、割当てパターン７によれば、割当てパターン５および６と同様に、中継装置３０における遅延をＯＦＤＭシンボル単位に短縮でき、かつ、アップリンクまたはダウンリンクの一方の利用のために、他方の終了を待たなくてよい。
【０１３０】
具体的には、基地局１０は、周波数Ｆ１・時間Ｔ１で定義されるリソースブロックグループに含まれるリソースブロックでリレーダウンリンクを介して中継装置３０へデータを送信する。そして、中継装置３０は、リレーダウンリンクを介して受信したデータの、デコード、バッファリング、エンコード、およびアクセスダウンリンクを介する移動端末２０への送信を、受信からＯＦＤＭシンボル単位の遅延量で、周波数Ｆ２・時間Ｔ１で定義されるリソースブロックグループに含まれるリソースブロックを利用して行う。なお、遅延量は、１ＯＦＤＭシンボル〜複数のＯＦＤＭシンボルの間で可変であってもよい。
【０１３１】
また、移動端末２０は、周波数Ｆ３・時間Ｔ１で定義されるリソースブロックグループに含まれるリソースブロックでアクセスアップリンクを介して中継装置３０へデータを送信する。そして、中継装置３０は、アクセスアップリンクを介して受信したデータの、デコード、バッファリング、エンコード、およびリレーアップリンクを介する基地局１０への送信を、受信からＯＦＤＭシンボル単位の遅延量で、周波数Ｆ４・時間Ｔ１で定義されるリソースブロックグループに含まれるリソースブロックを利用して行う。
【０１３２】
さらに、割当てパターン７においては、ダイレクトダウンリンク（Ｄ−ｄ）が、リレーダウンリンク（Ｒ−ｄ）と同一の周波数Ｆ１・時間Ｔ１で定義されるリソースブロックグループ、およびアクセスダウンリンク（Ａ−ｄ）と同一の周波数Ｆ２・時間Ｔ１で定義されるリソースブロックグループに割り当てられる。
【０１３３】
同様に、ダイレクトアップリンク（Ｄ−ｕ）が、リレーアップンリンク（Ｒ−ｕ）と同一の周波数Ｆ３・時間Ｔ１で定義されるリソースブロックグループ、およびアクセスアップリンク（Ａ−ｕ）と同一の周波数Ｆ４・時間Ｔ１で定義されるリソースブロックグループに割り当てられる。
【０１３４】
このように、割当てパターン７に従ったリンク割当てを行うことにより、リレーリンクまたはアクセスリンクと、ダイレクトリンクとの間でリソースブロックグループを共有することが可能となる。
【０１３５】
（割当てパターン８）
図１５は、各リンクの割当てパターン８を示した説明図である。図１５に示したように、割当てパターン８においては、周波数Ｆ１・時間Ｔ１で定義されるリソースブロックグループにリレーダウンリンク（Ｒ−ｄ）が割当てられ、周波数Ｆ１・時間Ｔ２で定義されるリソースブロックグループにアクセスダウンリンク（Ａ−ｄ）が割当てられ、周波数Ｆ１・時間Ｔ３で定義されるリソースブロックグループにアクセスアップリンク（Ａ−ｕ）が割当てられ、周波数Ｆ１・時間Ｔ４で定義されるリソースブロックグループにリレーアップリンク（Ｒ−ｕ）が割当てられる。
【０１３６】
このように、割当てパターン８においては、リレーリンクとアクセスリンクが時間で分離され、かつ、アップリンクとダウンリンクも時間で分離されている。このため、割当てパターン８によれば、利用する周波数は少ないが、他の割当てパターンに比べて遅延特性が劣化する。
【０１３７】
具体的には、割当てパターン１においては、基地局１０は、周波数Ｆ１・時間Ｔ１で定義されるリソースブロックグループに含まれるリソースブロックでリレーダウンリンクを介して中継装置３０へデータを送信する。そして、中継装置３０は、リレーダウンリンクを介して送信されたデータを受信し、バッファ３３８に中継データとして保持した後に、周波数Ｆ１・時間Ｔ２で定義されるリソースブロックグループに含まれるリソースブロックでアクセスダウンリンクを介して移動端末２０へ中継データを送信する。
【０１３８】
また、移動端末２０は、周波数Ｆ１・時間Ｔ３で定義されるリソースブロックグループに含まれるリソースブロックでアクセスアップリンクを介して中継装置３０へデータを送信する。そして、中継装置３０は、アクセスアップリンクを介して送信されたデータを受信し、バッファ３３８に中継データとして保持した後に、周波数Ｆ１・時間Ｔ４で定義されるリソースブロックグループに含まれるリソースブロックでリレーアップリンクを介して基地局１０へ中継データを送信する。
【０１３９】
さらに、割当てパターン８においては、ダイレクトダウンリンク（Ｄ−ｄ）が、リレーダウンリンク（Ｒ−ｄ）と同一の周波数Ｆ１・時間Ｔ１で定義されるリソースブロックグループ、およびアクセスダウンリンク（Ａ−ｄ）と同一の周波数Ｆ１・時間Ｔ２で定義されるリソースブロックグループに割り当てられる。
【０１４０】
同様に、ダイレクトアップリンク（Ｄ−ｕ）が、リレーアップンリンク（Ｒ−ｕ）と同一の周波数Ｆ１・時間Ｔ３で定義されるリソースブロックグループ、およびアクセスアップリンク（Ａ−ｕ）と同一の周波数Ｆ１・時間Ｔ４で定義されるリソースブロックグループに割り当てられる。
【０１４１】
このように、割当てパターン８に従ったリンク割当てを行うことにより、リレーリンクまたはアクセスリンクと、ダイレクトリンクとの間でリソースブロックグループを共有することが可能となる。
【０１４２】
＜５．基地局の動作＞
以上、本実施形態による基地局１０の構成を説明した。続いて、図１６を参照し、基地局１０の動作として、基地局１０によるリンク割当ての流れを説明する。
【０１４３】
図１６は、基地局１０によるリンク割当ての流れを示したフローチャートである。まず、基地局１０のスケジューラ１５６は、ダイレクトリンクを割り当てるリソースブロックグループを選択する（Ｓ４０４）。続いて、スケジューラ１５６は、選択したリソースブロックグループがアクセスリンクで利用されているか、リレーリンクで利用されているかを判断する（Ｓ４０８）。
【０１４４】
そして、スケジューラ１５６は、選択したリソースブロックグループがリレーリンクで利用されており、かつリレーダウンリンクで利用されている場合（Ｓ４１２）、選択したリソースブロックグループにダイレクトダウンリンクを割当てる（Ｓ４１６）。一方、スケジューラ１５６は、選択したリソースブロックグループがリレーリンクで利用されており、かつリレーアップリンクで利用されている場合（Ｓ４１２）、選択したリソースブロックグループにダイレクトアップリンクを割当てる（Ｓ４２０）。
【０１４５】
また、スケジューラ１５６は、選択したリソースブロックグループがアクセスリンクで利用されており、かつアクセスダウンリンクで利用されている場合（Ｓ４２４）、選択したリソースブロックグループにダイレクトダウンリンクを割当てる（Ｓ４２８）。一方、スケジューラ１５６は、選択したリソースブロックグループがリレーリンクで利用されており、かつアクセスアップリンクで利用されている場合（Ｓ４２４）、選択したリソースブロックグループにダイレクトアップリンクを割当てる（Ｓ４３２）。
【０１４６】
＜６．まとめ＞
以上説明したように、本実施形態による基地局１０のスケジューラ１５６は、ダイレクトアップリンクを、リレーアップリンクまたはアクセスアップリンクと同一のリソースブロックグループに含まれるリソースブロックに割当てる。同様に、スケジューラ１５６は、ダイレクトダウンリンクを、リレーダウンリンクまたはアクセスダウンリンクと同一のリソースブロックグループに含まれるリソースブロックに割当てる。かかる構成により、リレーリンクまたはアクセスリンクと、ダイレクトリンクとの間でリソースブロックグループを共有することが可能となる。
【０１４７】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１４８】
例えば、本明細書の基地局１０の処理における各ステップは、必ずしもシーケンス図として記載された順序に沿って時系列に処理する必要はない。例えば、基地局１０の処理における各ステップは、フローチャートとして記載した順序と異なる順序で処理されても、並列的に処理されてもよい。
【符号の説明】
【０１４９】
１０      基地局
２０      移動端末
３０      中継装置
１２４、２２４、３２４  アナログ処理部
１２８、２２８、３２８  ＡＤ・ＤＡ変換部
１３０、２３０、３３０  デジタル処理部
１３４、２３４、３３４  デコーダ
１３８、２３８          送信データ生成部
１４０、２４０、３４０  エンコーダ
１４２、２４２、３４２  制御部
１４４、２４４、３４４  スケジュール情報保持部
１５６      スケジューラ
２３２、３３２    同期部
２３６      ＳＩＮＲ取得部
３３８      バッファ
【図１】
2011029850.tif 000003
【図２】
2011029850.tif 000004
【図３】
2011029850.tif 000005
【図４】
2011029850.tif 000006
【図５】
2011029850.tif 000007
【図６】
2011029850.tif 000008
【図７】
2011029850.tif 000009
【図８】
2011029850.tif 000010
【図９】
2011029850.tif 000011
【図１０】
2011029850.tif 000012
【図１１】
2011029850.tif 000013
【図１２】
2011029850.tif 000014
【図１３】
2011029850.tif 000015
【図１４】
2011029850.tif 000016
【図１５】
2011029850.tif 000017
【図１６】
2011029850.tif 000018